(57)【要約】【課題】墓参り時に火の点いた線香を安定した状態で安全に運ぶことが可能となり、風や雨による線香の過剰燃焼や燃焼不足を防ぎ、線香の燃焼具合を安易に調整する。【解決手段】上端部に蓋を有する筒状の部材であって、側面に開口部が形成された外筒部材と、外筒部材の内部に収納可能な筒状の部材であって、開口部に対応する位置に第１の切り欠き部が形成された第１の内筒部材と、第１の内筒部材の内部に摺動可能に収容される筒状の部材であって、側面に第２の切り欠き部が形成され、開口部を閉鎖する位置である閉鎖位置まで摺動された場合、開口部を閉ざすことが可能な第２の内筒部材とを有する線香携帯器。【選択図】図１
0003137324.tif 000002
【実用新案登録請求の範囲】
【請求項１】
上端部に蓋を有する筒状の部材であって、側面に開口部が形成された外筒部材と、
前記外筒部材の内部に収納可能な筒状の部材であって、前記開口部に対応する位置に第１の切り欠き部が形成された第１の内筒部材と、
前記第１の内筒部材の内部に摺動可能に収容される筒状の部材であって、側面に第２の切り欠き部が形成され、前記開口部を閉鎖する位置である閉鎖位置まで摺動された場合、前記開口部を閉ざすことが可能な第２の内筒部材と
を有することを特徴とする線香携帯器。
【請求項２】
前記第２の内筒部材は第２の切り欠き部の縁に窓部を有し、前記第２の板状部材が閉鎖位１に摺動されたとき、前記窓部は通気口として機能することを特徴とする請求項１に記載の線香携帯器。
【請求項３】
前記外筒部材は、その開口部の縁部であって、前記第２の内筒部材の切り欠き部に対応する位置に第２の窓部を有することを特徴とする請求項２に記載の線香携帯器。
【請求項４】
前記第１及び第２の内筒部材は耐火性を有する材料で形成され、前記外筒部材は、前記第１及び第２の内筒部材より熱伝導率の低い材料で形成されていることを特徴とする請求項１から３のいずれかに記載の線香携帯器。
【請求項５】
上端部に蓋を有する筒状の部材であって、側面に開口部が形成された外筒部材と、
前記外筒部材の内部に収納可能な筒状の部材であって、前記開口部に対応する位置に第１の切り欠き部が形成された第１の内筒部材と、
前記外筒部材と前記第１の内筒部材の間に摺動可能に収容される筒状の部材であって、側面に第２の切り欠き部が形成され、前記開口部を閉鎖する位置である閉鎖位置まで摺動された場合、前記開口部を閉ざすことが可能な第２の内筒部材と
を有することを特徴とする線香携帯器。
【請求項６】
上端部に蓋を有する筒状の部材であって、側面に開口部が形成された外筒部材と、
前記外筒部材の内部に摺動可能に収容される筒状の部材であって、側面に第２の切り欠き部が形成され、前記開口部を閉鎖する位置である開口閉鎖位置まで摺動された場合、前記開口部を閉ざすことが可能な第２の内筒部材と
を有することを特徴とする線香携帯器。
【考案の詳細な説明】
【技術分野】
【０００１】  本考案は、線香携帯器に関し、より詳しくはお墓参りで境内からお墓へ行くときに炎を燃え上がらせることなく安全に線香を運ぶことが可能な線香携帯器に関する。
【背景技術】
【０００２】  お墓参り時、線香の束に火を点た状態で、菩薩や観音や本堂と随所に立ち寄った後、墓前で先祖の墓石を掃除し参るが、随所に香を配りお参りすると、風の吹く日には線香の燃える速度が速く短くなり、持つ手が熱で火傷をする可能性があった。
【考案の開示】
【考案が解決しようとする課題】
【０００３】  墓参り時、通常（檀家の場合）は供える花とともに線香を準備し、自身の先祖の墓前には直ちに参らず、まず第一に本堂に御参りし、またその道中で菩薩像や観音像に参り、しかる後自身の先祖の墓に参るのが一般的である。この一環の流れの中で、持参された線香は風に煽られ過剰燃焼し、自身の先祖の墓前に参る前に線香が燃えつき、手を火傷する虞があった。また、雨の日は線香がぬれて燃焼がまばらになり、慌しく道中を急がなければならなかった。更に、比較的に混み合うお彼岸やお盆などは、灰を辺りにまき散らし、他人の衣服を汚し、更に線香を他人に接触させ火傷させる虞もあった。また更に、檀家に属さない霊園の墓でも、比較的に広大の敷地を移動するために以上の問題が生じていた。
【課題を解決するための手段】
【０００４】  本考案は上記課題を解決するための手段として、以下の特徴を有する。【０００５】  本考案に係る線香携帯器（１０）は、上端部に蓋（１ａ）を有する筒状の部材であって、側面に開口部（４）を有する外筒部材（１）と、外筒部材の内部に収納可能な筒状の部材であって、その側面の開口部に対応する位置に第１の切り欠き部（５）が形成された第１の内筒部材（２）と、第１の内筒部材の内部に摺動可能に収容される筒状の部材であって、側面に第２の切り欠き部（６）が形成され、開口部を閉鎖する位置である閉鎖位置まで摺動された場合、開口部を閉ざすことが可能な第２の内筒部材（３）とを有することを特徴としている。【０００６】  この線香携帯器において、第２の内筒部材は第２の切り欠き部の縁に窓部（７）を有し、第２の内筒部材が閉鎖位置に摺動されたとき、窓部は通気口として機能するようにしてもよい。【０００７】  また、この線香携帯器において、開口部は、その縁部であって、第２の内筒部材の切り欠き部に対応する位置に第２の窓部（８）を有するようにしてもよい。【０００８】  また更に、この線香携帯器において、第１及び第２の内筒部材は耐火性を有する材料で形成され、外筒部材は、第１及び第２の板状部材より熱伝導率の低い材料で形成されているようにしてもよい。【０００９】  本考案の第２の態様は、線香携帯器として提案される。この線香携帯器（１０）は、上端部に蓋（１ａ）を有する筒状の部材であって、側面に開口部（４）が形成された外筒部材（１）と、外筒部材の内部に収納可能な筒状の部材であって、開口部に対応する位置に第１の切り欠き部（５）が形成された第１の内筒部材（２）と、外筒部材と第１の内筒部材の間に摺動可能に収容される筒状の部材であって、側面に第２の切り欠き部（６）が形成され、開口部を閉鎖する位置である閉鎖位置まで摺動された場合、開口部を閉ざすことが可能な第２の内筒部材（３）とを有することを特徴としている。【００１０】  本考案の第３の形態は、上端部に蓋（１ａ）を有する筒状の部材であって、側面に開口部（４）が形成された外筒部材（１）と、外筒部材の内部に摺動可能に収容される筒状の部材であって、側面に第２の切り欠き部（６）が形成され、開口部を閉鎖する位置である閉鎖位置まで摺動された場合、開口部を閉ざすことが可能な第２の内筒部材（３）とを有することを特徴としている。
【考案の効果】
【００１１】  本考案によれば、墓参り時に火の点いた線香を安定した状態で安全に運ぶことが可能となり、風や雨による線香の過剰燃焼や燃焼不足を防ぎ、線香の燃焼具合を安易に調整（スライド式中蓋として機能する第２の内筒部材をレバーにて開閉）できる。また、筒状であるため、縦置き、横置きすることが可能で、置いている間に先祖の墓の清掃等ができる。【００１２】  更に、線香携帯器の上端部は蓋で覆われているため、どの角度に傾けても携帯移動時に線香がずれ落ちることなく、線香を安全に一本ずつ取り出せる。更に、完全に第２の内筒部材で閉鎖した状態でも線香は安定して燃焼し、周りに灰をまき散らさない。外筒部材は内筒の金属より熱伝導の少ないもので被うため、金属からの熱を遮断し、片手で安全に携帯し、移動できる。
【考案を実施するための最良の形態】
【００１３】  以下、図面を参照しながら本考案の実施の形態について説明する。【００１４】  図１は、本考案の一実施形態に係る線香携帯器の斜視図であり、図２は、第２の内筒部材を開放位置とした場合の線香携帯器の斜視図、図３は、第２の内筒部材を閉鎖位置とした場合の線香携帯器の正面図（開口部側から見た平面図）であり、図４は、線香携帯器の分解部品図であって、図４（ａ）は、第２の内筒部材の斜視図、図４（ｂ）は、外筒部材の斜視図、図４（ｃ）は第１の内筒部材の斜視図である。【００１５】  線香携帯器１０は、円筒状の外筒部材１と、外筒部材１内に収納された円筒状の第１の内筒部材２と、第１の内筒部材２に収納される第２の内筒部材３とを有している。外筒部材１の上端部及び下端部には蓋である円板状の天板１ａ、底板１ｂが取り付けられている。【００１６】  図４（ｂ）に示すように、外筒部材１の上部側部には、線香携帯器１内部へ線香１１を収納し、あるいは線香携帯器１内部から線香１１を取り出すための開口部４が形成されている。開口部４には、外筒部材１の側部を切り欠いて形成した第２の窓部８が形成されている。例えば、外筒部材１は、線香１１の束が十分に収まる長さと太さ、片手で十分に携帯できる金属の円筒（パイプ状の金属に両端部底を付けたもの、もしくは蓋で覆ったもの）に、上端部には蓋である天板１ａを取り付ける。また、線香１１の束が十分に出し入れできる様に、外筒部材１の側面を切り欠き切除することによって開口部４を形成する。また、外筒部材１に設けた窓部８は、スライド式中蓋である第２の内筒部材３を完全に開いた状態で、線香１１の束の出し入れを安易にする窪みになるもので本体の切り欠き切除した縁の閉じる方向と開く方向に左右対称に設けてもよい。【００１７】  外筒部材１の下部には、第２の内筒部材３に取り付けられたレバー９を外筒部材１外部に突き出させ、外周方向にに摺動可能とするためのためのスリット１２が形成されている。線香携帯器１の使用者は、スリット１２から突出したレバー９を左右に動かすことにより、第２の内筒部材３を、第１の内筒部材２内で外周方向に摺動もしくは回動させ、開放位置と閉鎖位置にすることができる。【００１８】  第２の内筒部材３を開放位置にすると、開口部４から線香１１を線香携帯器１内部へ出し入れすることが可能となり（図２参照）、一方、第２の内筒部材３を閉鎖位置にする（図３参照）と、第２の内筒部材３が開口部４を覆う。上端部の蓋である天板１ａと可動式スライド中蓋である第２の内筒部材３上端部分の間には、線香１１の火の点いた状態のときに煙が排煙されるように隙間１３（排煙口）が設けられている。第２の内筒部材３を閉鎖位置にした場合でも、天板１ａと第２の内筒部材３上端部との間には隙間１３が残るように第２の内筒部材３の長さが定められており、隙間１３から空気が線香携帯器１０内部へ通過するため、閉鎖位置であっても線香携帯器１０内部の線香１１の火が消えることはない。【００１９】  図４（ｃ）に示すように、第１の内筒部材２は、外筒部材１の内部に収容可能な筒状の部材であって、上部側部に切り欠き部５が形成されている。また、第１の内筒部材２の下方側部には、第２の内筒部材３に取り付けられ���レバー９を線香携帯器１０から突出させ、外周方向に移動可能とするためのスリット１４が形成されている。なお、第１の内筒部材２の下端部に蓋を取り付け、線香１１が下方向に落ちないように支えるようにしても良い。【００２０】  図４（ａ）に示すように、第２の内筒部材３は、外筒部材１の内部及び／又は第１の内筒部材２の内部に収容可能な筒状の部材であって、上部側部に切り欠き部６が形成されている。切り欠き部６の下方側部には、線香１１が適度に燃焼できる様に、外筒部材１の開口部４に形成した窓部８と合わせて、通気孔となる窓部７を設ける。【００２１】  また、第２の内筒部材３の下部側部の前記のスリット１２、１４に対応する位置に、端部にねじ部を形成したレバー９を取り付けるためのねじ穴１５が形成されている。ねじ穴１５にレバー９を取り付けることにより、レバー９によって第２の内筒部材３を外筒部材１及び／又は第１の内筒部材２内部で摺動もしくは回動させることができる。なお、第２の内筒部材３の下端部に蓋を取り付け、線香１１が下方向に落ちないように支えるようにしても良い。【００２２】  上記の線香携帯器１０は、中蓋である第２の内筒部材３を完全に閉めた状態となる閉鎖位置にした状態でも、線香は安定して燃焼することができる。【００２３】  可動するスライド中蓋である第２の内筒部材３は、レバー９にて円筒（パイプ）が転がる方向にスリット１２に沿って動かすことにより第２の内筒部材３を閉鎖位置及び開放位置に移動させ、線香携帯器１０の開閉を行うことができる。このため、線香携帯器１０は片手で操作可能である。また、金属からの放熱で手を火傷しないように、外筒部材１は金属より熱伝導率の低い材料で形成し、或いはそのような熱伝導率の低い材料で被覆することによって覆うようにしてもよい。例えば、線香携帯器１０の外筒部材１は熱伝導の少ない木、竹、プラスチックなどで形成するかこれらの材料で被う。第１及び第２の内筒部材２，３はアルミ、チタンなどの耐火性を有する材料で形成するようにしてよい。【００２４】  また、線香携帯器１０が傾いたときにも、線香１１の火の点いた部分が消えないように上端部側の蓋１ａの内側面には、火が消えない素材を貼り付ける（ガラスウールなど）ようにしてもよい。【００２５】  この状態で、線香を風による過剰燃焼や雨による燃焼不足を防ぎ、安定した状態で携帯が可能になる。【００２６】  第１及び第２の内筒部材２，３をアルミにすることで軽量で、熱による形の変形がなく丈夫である。外筒を木で被うことで、円筒の適度な箇所に家紋などの彫刻加工が可能で、更にアルミからの放熱を遮断した。容姿には十分に配慮し外観は良好印象で高級感を漂わせ、斬新さも持ち合わせている。
［変形例］【００２７】  なお、線香携帯器１０は、底を正方形、長方形、多角形とする角筒でもよい。線香携帯器１０は底を楕円とする円筒でもよい。また、横置き時により安定させるため中蓋の真裏側の側面に平面（平らにする）を形成してもよい。また、仏事以外に平安期から貴族の間で流行、今に至っている香りを楽しむ線香の保持具として利用することも可能で、その場合に線香携帯器１０の中に砂やガラを敷き詰めると適当である。第１及び第２の内筒部材２，３の材質には、特別な高級感を出すため、ゴールドやプラチナなどの貴金属を使うことも可能で、更に外筒部材１にも宝飾することができる。【００２８】  上記実施の形態では、第１の内筒部材２内に、第２の内筒部材を収容する形態としたが、第２の内筒部材２内に第１の内筒部材を収容する形態に変形しても本考案は成立する。【００２９】  また、外筒部材１を耐火性の材料で形成するか、あるいは外筒部材１内部を耐火性を有する材料で被覆することにより、第１の内筒部材２を省略した構成としても本考案は成立する。
【図面の簡単な説明】
【００３０】
【図１】線香携帯器の斜視図
【図２】第２の内筒部材を開放位置とした状態の線香携帯器の斜視図
【図３】第２の内筒部材を閉鎖位置とした状態の線香携帯器の正面図
【図４】（ａ）は、第２の内筒部材の分解斜視図、（ｂ）は外筒部材の分解斜視図、（ｃ）は第１の内筒部材の分解斜視図
【符号の説明】
【００３１】  １  外筒部材
２  第１の内筒部材
３  第２の内筒部材
４  開口部
【図１】
0003137324.tif 000003
【図２】
0003137324.tif 000004
【図３】
0003137324.tif 000005
【図４】
0003137324.tif 000006